(57)【特許請求の範囲】
【請求項１】
隔壁によって集塵室と清浄室に区画され、集塵室にはガス導入口を、清浄室にはガス導出口を形成する一方、集塵室の上方部には多数のろ布を隔壁に吊下げると共に、その下方部には捕捉した粉塵を一時貯留するホッパ部を形成したバグフィルターにおいて、前記ガス導入口は集塵室の上方側部に形成し、該ガス導入口に臨ませて集塵室内に多数の通気孔を穿設した一対の案内板を所定距離隔てて配設すると共に、前記一対の案内板の両側に多数のろ布を配設したことを特徴とするバグフィルター。
【発明の詳細な説明】
【０００１】
【発明の属する技術分野】
本発明は、ガス中の粉塵を捕捉除去する集塵装置であるバグフィルターに関する。
【０００２】
【従来の技術】
従来、大量のガスを処理する大型のバグフィルターは、図３に示すように、粉塵を含むガスを集塵室１下方部のホッパ部２付近より導入し、集塵室１内を上昇させて筒状のろ布４を通過させて清浄室５へと導いている。また、ろ布４表面に付着した粉塵は空気噴射管６より噴射する高圧空気によってホッパ部２に払い落として一時貯蔵しながら適宜外部へと排出している。
【０００３】
【発明が解決しようとする課題】
しかしながら、上記従来のバグフィルターにあっては、ガスを集塵室１の下方部のホッパ部２付近より導入しているために、ホッパ部２で上昇気流を生じさせ、ホッパ部２下部に堆積している粉塵や脱塵中の粉塵を再度舞き上げることとなる。また、ガスをろ布の下方側から導入して上昇させるため、ろ布の上部と下部とでは粉塵の付着量が違うようになり、粉塵の付着量が少ない部分にガスが集中して流れるなどバランスが悪くなってろ布の寿命も短くなるという欠点を有している。
【０００４】
本発明は上記の点に鑑み、粉塵の捕捉及び脱塵を効率よく行えるようにしたバグフィルターを提供することを課題とする。
【０００５】
【課題を解決するための手段】
本発明は上記課題を解決するために、隔壁によって集塵室と清浄室に区画され、集塵室にはガス導入口を、清浄室にはガス導出口を形成する一方、集塵室の上方部には多数のろ布を隔壁に吊下げると共に、その下方部には捕捉した粉塵を一時貯留するホッパ部を形成したバグフィルターにおいて、前記ガス導入口は集塵室の上方側部に形成し、該ガス導入口に臨ませて集塵室内に多数の通気孔を穿設した一対の案内板を所定距離隔てて配設すると共に、前記一対の案内板の両側に多数のろ布を配設したことを特徴としている。
【０００６】
【発明の実施の形態】
本発明に係るバグフィルターによれば、集塵室の上方側部からガスを導入し、一対の案内板により集塵室内部を案内しながら前進させる間に、案内板に穿設した通気孔や案内板の下端側からろ布側にガスを導出させる。
【０００７】
このとき、案内板の通気孔からろ布側に導出されるガスは略水平方向の流れからすぐに上昇に転じ、また案内板の下端側よりろ布側に流れ出るガスもすぐに上昇に転じてろ布を通過していくために、集塵室の上方部でのみ強いガスの流れが生じ、集塵室下方部では上昇気流が減少してホッパ部に堆積した粉塵や脱塵中の粉塵の舞い上げを極力抑制できる。
【０００８】
また、案内板の各通気孔からはろ布の全長に渡ってガスが吹き出されるので、ろ布全面を均一にガスが通過していき、これと前記粉塵の舞い上げの抑制効果とによって粉塵の捕捉及び脱塵が効率よく行え、またろ布の寿命も長くなる。
【０００９】
【実施例】
以下、本発明の実施例を図面に基づいて説明する。
【００１０】
バグフィルター１０内部は隔壁１１によって集塵室１２と清浄室１３とに区画されている。集塵室１２の下方部には断面略ロート状のホッパ部１４が形成され、該ホッパ部１４の下部には落下堆積した粉塵を搬出するスクリューフィーダ１５を配設している。
【００１１】
集塵室１２の上方側部にはガス導入口１６を形成し、該ガス導入口１６に臨ませて集塵室１２内に多数の通気孔１７を穿設した一対の案内板１８を集塵室１２の長手方向に沿って所定距離隔てて配設している。
【００１２】
前記一対の案内板１８の両側部には多数の筒状のろ布１９が隔壁１１を貫通させた状態で着脱自在に吊下げられている。なお、案内板１８の縦方向の長さはろ布１９と同程度か若干長め程度とすると共に、上端は隔壁１１に当接させると良い。
【００１３】
また、清浄室１３にはろ布１９を通過して清浄となったガスを導出させるガス導出口２０を形成すると共に、清浄室１３には各ろ布１９の上部開口より内側に高圧空気をパルス状に噴射するパルス噴射弁２１を備えた空気噴射管２２を配設している。また、各ろ布１９の開口部には噴射空気により周囲の空気を呼び込むベンチュリー管２３を装着している。
【００１４】
しかして、上記バグフィルター１のガス導入口１６からガスを導入すると、ガスは案内板１８に案内されて前進しながら案内板１８に穿設した通気孔１７や案内板１８の下端側からろ布１９側に導出される。このとき、案内板１８の通気孔１７からろ布１９側に導出されるガスは、図２のように、略水平方向の流れからすぐに上昇に転じ、また案内板１８の下端側よりろ布１９側に流れ出るガスもすぐに上昇に転じてろ布１９を通過していくこととなる。このため、集塵室１２の上方部でのみ強いガスの流れが生じ、集塵室１２下方部では上昇気流が減少してホッパ部１４に堆積した粉塵や脱塵中の粉塵の舞い上げは極力抑制されることとなる。
【００１５】
そして、ガスがろ布１９を通過する時に、ガス中の粉塵がろ布１７によって捕捉されてろ布表面に付着し、清浄となったガスは清浄室１３へと流れ、ガス導出口２０を通って装置下流へと流れていく。ろ布１７の表面に付着した粉塵は空気噴射管２２より所定時間毎に噴射される高圧空気によって脱塵されてホッパ部１１へと落下していくが、ホッパ部１４では上昇気流が余り生じておらず舞い上がりも少なくい。
【００１６】
このように、粉塵を含むガスを集塵室１２の上方側部のガス導入口１６から導入し、通気孔１７を形成した案内板１８によって案内しながら通気孔１７や案内板１８の下端側からろ布１９側に導出するようにしているので、集塵室１２の上方部でのみ強いガスの流れが生じ、集塵室１２下方部では上昇気流が減少し、ホッパ部１４の粉塵や脱塵中の粉塵の舞い上げは極力抑制され、また、案内板１８の各通気孔１７からはろ布１９の全長に渡ってガスが吹き出されるので、ろ布全面を均一にガスが通過していき、粉塵の捕捉及び脱塵が効率よく行え、また、ろ布の寿命も長くできる。
【００１７】
【発明の効果】
以上のように本発明に係るバグフィルターにあっては、ガス導入口を集塵室の上方側部に形成し、該ガス導入口に臨ませて集塵室内に多数の通気孔を穿設した一対の案内板を所定距離隔てて配設すると共に、前記一対の案内板の両側に多数のろ布を配設したので、集塵室上方部のみで強いガス流れを生じさせ、集塵室下方部のホッパ部では上昇気流を生じさせることも少なくて粉塵の舞い上がらも減少でき、また、ろ布全面に均一にガスを通過させることができて粉塵の捕捉及び脱塵を効率よく行え、またろ布の寿命も長くできる。
【図面の簡単な説明】
【図１】本発明に係るバグフィルタ一の実施例を示す一部切り欠き正面図である。
【図２】図１のＡ−Ａ線切断矢視図である。。
【図３】従来のバグフィルターの図２に相当する図である。
【符号の説明】
１１…隔壁                        １２…集塵室
１３…清浄室                      １４…ホッパ部
１６…ガス導入口                  １７…通気孔
１８…案内板                      １９…ろ布
２０…ガス導出口
【図１】
0004106147.tif 000002
【図２】
0004106147.tif 000003
【図３】
0004106147.tif 000004